(57)【要約】【課題】従来において、２つの薬液を使用して頭髪の処理を行うには１液から２液の塗布時に、一旦フードを開放して行わなければならないため、再び、頭部がフードの中心に位置するように調整を行う必要があり、施術者にとって面倒な作業であると共に被施術者にとっても面倒であるといった問題があった。【解決手段】フードＤを固定フード７１と、開閉フード７２とに分割し、該開閉フードを開閉することにより、固定フードの上方が開放されるようにしたフード式頭髪促進装置である。【選択図】　　　　図１
2004000416.tif 000002
【特許請求の範囲】
【請求項１】
フードを固定フードと、開閉フードとに分割し、該開閉フードを開閉することにより、固定フードの上方が開放されるようにしたことを特徴とするフード式頭髪促進装置。
【請求項２】
前記開閉フードは被施術者が被った状態において前方側を支点として開放されるようにしたことを特徴とする請求項１記載のフード式頭髪促進装置。
【請求項３】
前記開閉フードは回転支点においてスプリング等によって開放方向に付勢され、かつ、閉状態において固定フード側においてロック可能に形成されていることを特徴とする請求項１記載のフード式頭髪促進装置。
【請求項４】
前記開閉フードは回転支点にダンパーを介在させ、開閉フードの閉じる方向に対してはダンパー作用によって緩やかに回動するようにしたことを特徴とする請求項１記載のフード式頭髪促進装置。
【請求項５】
前記開閉フードの所望位置に複数個の蒸気抜き孔が形成され、該蒸気抜き孔の周囲に開閉フードを開放した状態で蒸気抜き孔から水滴が外部に流れ出るのを防止する内面側に突出する鍔部を一体的にあるいは別部材で形成したことを特徴とする請求項１記載のフード式頭髪促進装置。
【請求項６】
前記開閉フードが開閉自在に取付けられた前記固定フードは、頭髪処理に必要な蒸気発生機等が収納された本体に対して上下方向に回動自在に取付けられると共に、前記本体に対して所望角度以上に開放されると上方へ回動させる付勢力が作用し、前記所望角度以下に閉じられると前記開閉フードおよび固定フードの重量が前記付勢力に打ち勝って閉じられるようにしたことを特徴とする請求項１記載のフード式頭髪促進装置。
【請求項７】
前記固定フードの開口部に近接した位置に外周側が取付けられ、内周側が頭髪を前記開閉フード側に位置するような被施術者の頭部周囲に密着して取付けられる布等からなるフェースガードを設けたことを特徴とする請求項１記載のフード式頭髪促進装置。
【請求項８】
前記固定フードあるいは開閉フードの何れかの外周内側面に固定フードと開閉フードとの接触面から蒸気が漏れるのを防止する弾性を有する封止リングを取付け、かつ、固定フードに対して開閉フードを閉じた状態において前記封止リングが密着するようにマグネットと磁性体等からなるロック部材を取付けたことを特徴とする請求項１記載のフード式頭髪促進装置。
【発明の詳細な説明】
【０００１】
【発明の属する技術分野】
本発明は被施術者が頭部に被るフード式頭髪促進装置において、該フードの上面を開放可能にすることで被施術者の頭部を上方から作業できるようにしたフード式頭髪促進装置に関する。
【０００２】
【従来の技術】
従来、トリートメント等において施術のために薬剤が２液の場合には、１つ目の薬液を塗布した後にフードを被施術者の頭部に被せ頭髪の促進を行い、所定の時間が経過したならフードを頭部から開放して２つ目の薬液を塗布して再びフードを被せるという作業を行っていた。また、被施術者の真後ろから施術者が作業を行う場合には、フード式頭髪促進装置を横にずらして作業を行っていた。
【０００３】
【発明が解決しようとする課題】
ところで、前記した２つの薬液を使用して頭髪の処理を行うには１液から２液の塗布時に、一旦フードを開放して行わなければならないため、再び、頭部がフードの中心に位置するように調整を行う必要があり、施術者にとって面倒な作業であると共に被施術者にとっても面倒であるといった問題があった。
【０００４】
また、施術者が真後ろから作業する場合には、フード式頭髪促進装置を移動しなければならないため、手間が掛かり、かつ、移動時において前記装置が転倒して破損してしまうといった問題もあった。
【０００５】
本発明は前記した問題点を解決せんとするもので、その目的とするところは、１液から２液の塗布時にフードの上面を開放することで作業が行えるので作業性の向上が図れ、また、被施術者の真後ろからの作業も装置を移動することなく行えるので手間が掛からないと共に転倒による装置の破損も防止できるフード式頭髪促進装置を提供せいとするにある。
【０００６】
【課題を解決するための手段】
本発明のフード式頭髪促進装置は前記した目的を達成せんとするもので、請求項１の手段は、フードを固定フードと、開閉フードとに分割し、該開閉フードを開閉することにより、固定フードの上方が開放されるようにしたものである。
【０００７】
また、請求項２の手段は、請求項１の手段において、前記開閉フードは被施術者が被った状態において前方側を支点として開放されるようにしたものであり、さらに、請求項３の手段は、請求項１の手段において、前記開閉フードは回転支点においてスプリング等によって開放方向に付勢され、かつ、閉状態において固定フード側においてロック可能に形成したものであり、また、請求項４の手段は、請求項１の手段において、前記開閉フードは回転支点にダンパーを介在させ、開閉フードの閉じる方向に対してはダンパー作用によって緩やかに回動するようにしたものである。
【０００８】
請求項４の手段は、請求項１の手段において、前記開閉フードの所望位置に複数個の蒸気抜き孔が形成され、該蒸気抜き孔の周囲に開閉フードを開放した状態で蒸気抜き孔から水滴が外部に流れ出るのを防止する内面側に突出する鍔部を一体的にあるいは別部材で形成したものである。
【０００９】請求項５の手段は、請求項１の手段において、前記開閉フードが開閉自在に取付けられた前記固定フードは、頭髪処理に必要な蒸気発生機等が収納された本体に対して上下方向に回動自在に取付けられると共に、前記本体に対して所望角度以上に開放されると上方へ回動させる付勢力が作用し、前記所望角度以下に閉じられると前記開閉フードおよび固定フードの重量が前記付勢力に打ち勝って閉じられるようにしたものである。
【００１０】
請求項６の手段は、請求項１の手段において、前記固定フードの開口部に近接した位置に外周側が取付けられ、内周側が頭髪を前記開閉フード側に位置するような被施術者の頭部周囲に密着して取付けられる布等からなるフェースガードを設けたものである。
【００１１】
請求項７の手段は、請求項１の手段において、前記固定フードあるいは開閉フードの何れかの外周内側面に固定フードと開閉フードとの接触面から蒸気が漏れるのを防止する弾性を有する封止リングを取付け、かつ、固定フードに対して開閉フードを閉じた状態において前記封止リングが密着するようにマグネットと磁性体等からなるロック部材を取付けたものである。
【００１２】
【発明の実施の形態】
以下、本発明に係るフード式頭髪促進装置の一実施の形態を図１と共に概略について説明する。
Ａはキャスター付きの基台、Ｂは該基台１に固定された支柱、Ｃは該支柱Ｂに対して後述する上下動機構、水タンクおよび水タンク内の水を蒸気化する蒸気発生機、送風機、給水タンク内の水を排水した時に受けるドレーンカップ、後述するフードＤに滞留した湯分を受けるドレーン受け等が内蔵され、また、蒸気発生機の駆動時間や送風機の駆動時間等を設定するための操作部が設けられた本体にして、全体がカバーによって覆われている。
【００１３】
Ｄは前記本体Ｃの上部に上下方向に回動および固定可能に取付けられたフード、Ｅは前記本体Ｃの同じく上部に固定され、被施術者が椅子等に着座した状態で首の後ろ側に当接させ、前記フードＤに対する被施術者の頭部位置決めを行うためのネック受けである。
【００１４】
次に、本体Ｃの具体的構成を図２、図３と共に説明する。
先ず、上下動機構１の第１の実施の形態を図２と共に説明するに、１１は前記フードＤおよびネック受けＥが取付けられる基板にして、１２は前記基板１１の裏面から垂下された軸杆１２にして、該軸杆１２の下端が前記支柱Ｂ内に挿入されたスプリング等の弾性部材１３の上端に当接され、常時、基板１１を上方に向かってバネ付勢している。
【００１５】
また、前記基板１１の裏面には前記支柱Ｂに対して摺動自在に上下動管１４が取付けられている。１５は前記基板１１に対して回転自在に取付けられた回転軸にして、先端にはハンドル１６が取付けられている。そして、前記回転軸１５には前記上下動管１４に対してフリーな断面がコの字状のブレーキ押え１７がリンク１８を介して取付けられている。従って、ブレーキ押え１７はハンドル１６を回転するとリンク１８を介して上下動管１４に対して上下動することとなる。
【００１６】
前記ブレーキ押え１７には下端部に上下動管１４に向かって近接する形状の凸面１７ａが長手方向に沿って形成されている。１９は前記上下動管１４に対して直交する方向に対してのみ移動可能に取付けられたブレーキにして、支柱Ｂに摺接するブレーキパッド１９ａが取付けられ、また、ブレーキ押え１７はブレーキ１９を介して上下動管１４に対して上下方向のみ移動可能に取付けられている。
【００１７】
このように構成した上下動機構１にあっては、図２に示すようにハンドル１６を水平にして上下動管１４に取付けられているブレーキ１９がブレーキ押え１７の凸面１ａによって支柱Ｂ側に移動た状態とすると、ブレーキパッド１９ａが支柱Ｂに圧接される。これにより、上下動管１４は弾性部材１３のバネ力に抗して支柱Ｂに対して固定状態となる。
【００１８】
そして、基板１１を上昇させるには、ハンドル１６を回転して図２の状態から略９０度回転すると、ブレーキ押え１７が上下動管１４に対して上昇するので、該ブレーキ押え１７の凸面１７ａがブレーキ１９から離脱して、ブレーキパッド１９ａと支柱Ｂとの圧接力は解除されて上下動管１４は上下動方向がフリーな状態となる。
【００１９】
この状態において、上下動管１４は弾性部材１３によって上方向にはバネ力が作用しているので、上下動管１４を容易に上昇させることができ、また、下降させるには弾性部材１３のバネ力に抗して押し下げることで下降させることができる。そして、所望の上昇位置あるいは下降位置においてハンドル１６を元の位置に回転することで、前記した動作によってブレーキパッド１９ａが支柱Ｂに圧接されるので、その位置において支柱Ｂに対して固定することができる。
【００２０】
次に、図３に示す他の上下動機構２について説明する。なお、前記した図２の実施の形態と同一符号は同一部材を示し説明は省略する。
この実施の形態にあっては、支柱Ｂに対して上下動管１４をブレーキ１９によって固定する手段として、ブレーキ押え１７の凸面１７ａによってブレーキパッド１９ａを支柱Ｂに対して圧接するものである。
【００２１】
これに対して第２の実施の形態のものは、ハンドル１６の回動によってリンク１８を介して上下動する上下動軸杆２１に円錐状ブレーキ押え２２を取付け、この円錐状ブレーキ押え２２の大径部２２ａによってブレーキ１９のブレーキパッド１９ａを支柱Ｂ側に圧接させ、小径部２２ｂがブレーキ１９に位置した時には前記圧接力を解除するようにしたものである。なお、２３はブレーキ１９を上下動管１４に取付けるための取付具にして、この取付具２３に上下動管２１はガイドされている。
【００２２】
次に、本体Ｃにおける蒸気発生機３を図１と共に説明する。
本体Ｃのケース内には、前記上下動管１４に固定された蒸気発生手段３が取付けられており、該蒸気発生機３により発生した蒸気はフレキシブルパイプ３１を介してフードＤ内に導出される。前記蒸気発生手段３の下部には斜め上方から抜き差し可能な給水タンク３２が取付けられ、該給水タンク３２はケース内に収納した状態でケースの一部となるように構成されている。また、給水タンク３２の下部は、給水タンク受けに設置するとタンクの下面は開放状態となり、排水バルブ３３を開放することにより給水タンク３２内の水は排水されるように構成されている。
【００２３】
そして、排水バルブ３３の下面にはケースに対して着脱自在なドレーンカップ３３が配置されおり、作業終了時等において給水タンク３２内の水を排水バルブ３３を開放してドレーンカップ３４内に溜めて排水することが可能なように構成されている。
【００２４】
また、本体Ｃのケース内にはモータとファンからなる送風機４が前記上下動管１４に取付けられており、該送風機４からの冷風はフレキシブルパイプ４１を介して前記蒸気発生機３よりの蒸気を送るためのフレキシブルパイプ４１と上下方向に並列してフードＤ内に導出されている。
【００２５】
さらに、本体Ｃのケース内にはフードＤに供給され水となった蒸気を排出ための開口部の折り返しによって形成された水路７１ｂよりの水を溜めるためのドレーンタンク５が配置されており、前記水路７１ｂに連結されたパイプ５１の先端にねじ込みによって着脱自在に取付けられている。
【００２６】
また、本体Ｃのケースの上面には前記蒸気発生機３のオン・オフおよび発生時間、送風機４の駆動時および蒸気発生機３がオフ状態となってから送風機４への切り換えを自動的に制御するための制御回路を備えた操作部６が操作し易いように後傾するように形成されている。
【００２７】
次に、フードＤの構成を図４〜図７と共に説明する。
フードＤは固定フード７１と、該固定フード７１の前方において軸支された開閉フード７２から構成されており、固定フード７１の基部７１ａは上下動可能な前記基板１に立設された一対の起立板７３に対して回動自在で、かつ、水平状態（図４）と起立状態（図５）との２位置においてロック可能に軸支されている。
【００２８】
また、固定フード７１の開口部には折り返しされた水路７１ｂが全周にわたって形成されており、最も高さが低い位置において前記パイプ５１と連結される穴が開口されている。従って、水路７１ｂに溜まった水蒸気から水滴となった水は前記穴からパイプ５１を介してドレーンタンク５に溜まるようになっている。
【００２９】
さらに、前記固定フード７１の前記起立板７３側に前記蒸気発生機３のフレキシブルパイプ３１と送風機４のフレキシブルパイプ４１の先端が開口して取付けられており、かつ、これらのフレキシブルパイプ３１，４１と対向する位置の固定フード７１の内周面に拡散板７１ｃが取付けられ、この拡散板７１ｃによって蒸気および冷風は直接的に被施術者の後頭部に当たることなく全周から頭部に当たるようになっている。
【００３０】
開閉フード７２は断熱効果を得るために全体が二重構造に形成されており、前記固定フード７１の先端側において軸７２ａによって開閉自在に軸支され、かつ、巻バネ７２ｂによって開閉フード７２が閉じる方向にバネ付勢されている。そして、開閉フード７２は閉じた状態において固定フード７１の基部側においてロック可能に形成されている。なお、ロック機構としてマグネットを固定フード７１側に取付け、開閉フード７２側に磁性体を取付けてもよく、あるいは公知のロック、アンロックが可能なロック機構でもよい。
【００３１】
次に、ネック受けＥの詳細を図４、図５と共に説明する。
このネック受けＥは前記起立板７３に基部側が固定されたアーム部８１と、該アーム部８１の先端に固定されたネック当接部８２とより構成され、被施術者の後ろ側首にネック当接部８２に当接させた状態において、フードＤを頭部に被せるとフードＤの略中央に被施術者の頭部が位置するようになる。なお、ネック当接部の形状は円柱状に形成し、かつ、弾性部材で構成することで、枕パッドとして利用できる。
【００３２】
次に、前記した構成に基づいて被施術者の頭髪促進を行う場合について説明する。
先ず、フードＤを上方に回動した状態においてトリートメント等の第１薬液を毛髪に塗布した被施術者を椅子に座らせる。次いで、ハンドル１６を回動してブレーキ押え１７あるいは円錐状ブレーキ押え２１を下降させ、ブレーキ１９のブレーキパッド１９ａを支柱Ｂから離して本体Ｃの高さ調整を行い、ネック受けＥのネック当接部８２が被施術者の後ろ側首に位置するように被施術者の頭部位置を調整する。そして、ハンドル１６を元の位置に回動してブレーキパッド１９ａを支柱Ｂに対して圧接させて本体Ｃを支柱に対して固定する。
【００３３】
この状態において、フードＤを基板１１に対して基部を回動させて被施術者の頭部に被せ、操作部６を操作して前記塗布した薬液に適した時間と、それに続く送風機の動作時間をセットする。これにより、蒸気発生機３から発生した水蒸気はフレキシブルパイプ３１を介してフードＤ内に供給され、固定フード７１内に取付けられた拡散板７１ｃによってフードＤ内全体に噴霧されて頭髪に高温の湿りけを与え頭髪の促進が行われる。
【００３４】
そして、前記セットした蒸気発生機３の動作が終了すると、続いて送風機４が動作して冷風がフレキシブルパイプ４１を介してフードＤ内に供給され、前記したと同様に拡散板７１ｃによってフードＤ内全体から冷風を頭髪に吹きつけて嵌挿が行われる。
【００３５】
このように第１薬液による頭髪促進が終了したなら、開閉フード７２と固定フード７１とのロックを解除して、開閉フード７２を前方に向かって開放して被施術者の後部が後方に位置する施術者から見えるようにする。なお開閉フード７２は一度開放されるとスプリング７２ｂのバネ力によって開放状態が保持される。
【００３６】
そして、施術者が後方より第２薬液を塗布した後、開閉フード７２を閉めロックして再び操作部６によって水蒸気の発生時間および送風機４の冷風時間をセットして頭髪促進を行い、該頭髪促進が終了したならハンドル１６を回動してブレーキパッド１９ａを支柱Ｂから離して本体Ｃを上昇させ、被施術者を椅子から退去させて全ての頭髪促進は終了する。
【００３７】
なお、前記したフードＤにおける固定フード７１に対する開閉フード７２は、固定フード７１の前方において上下方向に開閉する場合を示したが、開閉フード７２は左右方向に開閉するものであったり、開閉フード７２を左右方向に２分割してそれぞれを左右方向にスライドさせて被施術者の頭部を後方から見えるようにしてもよい。
【００３８】
前記した実施の形態における開閉フード７２には固定フード７１とから構成されるフードＤ内の圧力が供給される蒸気によって加圧状態となるので、一般的なフードにおいても蒸気を僅かに排出するための蒸気抜き孔が形成されている。そこで、本発明においても蒸気抜き孔７２ｃを形成した場合、開閉フード７２は頭髪処理が終了した場合、固定フード７１に対して上方に開放することとなるため、開閉フード７２の内面に付着した水滴が蒸気抜き孔７２ｃから外部に漏れて、被施術者の被服を汚したり床面を汚したりする可能性がある。
【００３９】
本発明にあっては、図８〜図９に示すように、蒸気抜き孔７２ｃの裏面側に、該蒸気抜き孔７２ｃの周面に沿って鍔部７２ｃ１　を形成し、あるいは、図１０に示すように、蒸気抜き孔７２ｃに合成樹脂等によるリング７２ｃ２　を嵌め込んで鍔部とすることで、開閉フード７２を開放して水滴が蒸気抜き孔７２ｃの方向に流れても前記鍔部７２ｃ１　やリング７２ｃ２　によって遮断されて外部に流れ出すことがなく、従って、前記したような被服や床面を汚すことがない。
【００４０】
前記した実施の形態における固定フード７１の基部７１ａと本体Ｃとの回動機構としては、基板１に立設された起立板７３に対して回動自在に軸支され、かつ、フードＤの起立状態と水平状態とにおいてロック可能であるものについて説明したが、前記フードＤを起立と水平状態のロック位置から回動した場合には、フードＤはフリーな状態となるため、フードＤの重量で水平方向に回動して被施術者の頭部に当接したりする可能性がある。
【００４１】
そこで、本発明にあっては、図１１に示すように、固定フード７１における基部７１ａの両側面に中央に突起７１ａ１　を有するリング状の空間部７１ａ２　を形成し、前記突起７１ａ１　に巻きバネ７４を挿入して前記空間部７１ａ２　内に収容すると共に、前記巻きバネ７４の一端を基部７１ａに係止し、他端を起立板７３に係止する。
【００４２】
なお、図示していないが、基部７１ａと起立板７３とは軸によって回動自在に軸支され、かつ、前記２位置においてロックするロック手段は削除した。また、巻きバネ７４のバネ発生モーメントは図１２に示すように、フードＤが起立状態より少し水平方向に変位した所定位置まではフードモーメント（フードＤの重量等によるモーメント）よりも大きく、前記所定位置を越えるとバネ発生モーメントよりも徐々にフードモーメントの方が大きくなるように設計されている。
【００４３】
このような構成とすることで、フードＤは起立状態では巻きバネ７４のバネ発生モーメントがフードモーメントよりもトルクが大きいので前記起立状態は保持され、施術者が前記位置よりフードＤを水平方向に押すとバネ発生モーメントとフードモーメントとの交点に達するまではバネ発生モーメントが大きいのでフードＤは起立方向に戻ろうとするが、バネ発生モーメントとフードモーメントとが交差する所定位置においてはフードＤはその位置に保持され、さらに、施術者が水平方向に倒すとバネ発生モーメントよりもフードモーメントの方が徐々に大きくなるので、フードＤは徐々に変位して最終的には施術位置である水平位置まで回動されるものである。なお、前記した図１２に示す特性を有するものであれば、巻きバネ７４に限定されるものではなく、油圧等によるダンパーの手段を採用してもよい。
【００４４】
従って、フードＤは起立状態で巻きバネ７４のバネ力によって起立状態が保持され、かつ、水平方向への回動途中の所定位置までは施術者の力のみで回動され、前記所定位置を過ぎるとフードＤの重量で巻きバネ７４に抗して徐々にフードＤは水平方向に回動され施術位置で停止することとなり、ロック手段を使用しなくとも起立位置と水平位置とで固定され、かつ、水平方向への回動時においてもフードＤが急激に回動することがなくなって、被施術者に当接したり驚かしたりすることがない。
【００４５】
図１３は固定フード７１と開閉フード７２との回動機構部分を改良したものを示し、前記した実施の形態では巻きバネ７２ｂのみによって固定フード７１に対して開閉フード７２の閉じる方向の付勢を行っているが、この実施の形態にあっては、巻きバネ７２ｂと、油圧等によるダンパー７２ｄとを組み合わせ、この両者によって開閉フード７２の固定フード７１に対する開閉を緩やかに、かつ、スムーズに行えるようにしたものである。
【００４６】
また、他の実施の形態としては、ダンパー７２ｄのみを開閉フード７２と、該開閉フード７２と該開閉フード７２を軸支する軸との間に介在させ、開閉フード７２の閉じる方向への回動時には前記ダンパー７２ｄの作用によって緩やかに閉じられ、また、開閉フード７２の開放時には施術者が押し上げるようにしてもよい。
【００４７】
前記実施の形態において、被施術者がフードＤを被って蒸気をフードＤ内に供給すると、フードＤ内に溜まった蒸気は固定フード７１の水路７１ｂが形成されている開口部が下方に向かって排出されるので、この排出される蒸気は被施術者の顔面に当たり、被施術者が暑い思いをしたり不快感を覚えることとなる。
【００４８】
そこで、本発明にあっては、図１４、図１５に示すように、前記水路７１ｂの上側に後述するリング状のフェースガード９の外周面を引掛固定するためのリング状支持板７５を取付けてある。そして、フェースガード９は布や合成樹脂のフィルム等で構成されており、幅広のリング状に形成され、かつ、外周には前記支持板７５に沿って差し込んだ後に締め付け固定するための紐やワイヤー等の締付具９１が挿入され、また、内周には被施術者の頭部周囲に密着して取付けた状態で締め付けるための紐やワイヤー等の締付具９２が挿入されている。なお、締付具９１，９２には締め付けた状態でワイヤーや紐の緩みを防止するための留め具を取付けてもよい。
【００４９】そして、予めフェースガード９の外周側は予め固定フード７１の前記支持板７５に締付具９１を利用して固定しておき、被施術者にフードＤを被せた状態で開閉フード７２を開放し、該被施術者の頭部に対してフェースガード９の内周側を嵌め込み、かつ、被施術者の頭髪がフェースガード９の上側になるように頭髪処理を行った後、締付具９２を引き締めて頭部に固定する。この締め付け状態は留め具によって緩むことはない。
【００５０】
このように、フェーススガード９を被施術者の頭部に取付けることにより、被施術者の頭部と固定フード７１の開口部との隙間をなくすことにより、フードＤ内の蒸気が被施術者の顔面に当たることがなくなり、被施術者に暑い思いをさせたり不快感を与えることがなくなるものである。
【００５１】
前記した実施の形態において、フードＤは全体が合成樹脂で構成されているので、固定フード７１と開閉フード７２との接触面に隙間が生じて蒸気が外部に漏れだすので、この実施の形態にあっては、図１６に示すように固定フード７１の開閉フード７２と当接する面に形成したリング状の溝７１ｆに、中空の半円球１０ａと中空の直方体１０ｂとから構成した封止リング１０の前記直方体１０ｂ側を嵌合し、半円球１０ａを開閉フード７２の下面と当接するようにした。
【００５２】
なお、１０１は固定フード７１の開閉フード７２との当接面に複数個が取付けられた磁性体とマグネットとを組み合わせた吸着手段、１０２は開閉フード７２の前記吸着手段１０１と対向した位置に取付けられた磁性体である。
【００５３】
このように、固定フード７１に封止リング１０を取付けたことにより、開閉フード７２を閉じると前記封止リング１０の半球体１０ａに当接し仮想線で示すように潰れた状態で密着するので、フードＤ内から蒸気が外部に漏れ出ることがなくなる。また、この状態において、磁性体１０２がマグネットによる吸着手段１０１に吸着されるので、前記固定フード７１と開閉フード７２との封止リング１０による密着状態は維持されるものである。
【００５４】
なお、前記した実施の形態にあっては、封止リング１０と吸着手段１０１とを固定フード７１側に取付けたが、開閉フード７２側に取付けてもよい。この場合、磁性体１０２は当然に固定フード７１に取付けることは勿論である。
【００５５】
【発明の効果】
本発明は前記したように、フードを固定フードと、開閉フードとに分割し、該開閉フードを開閉することにより、固定フードの上方が開放されるようにしたので、２種類の薬液を使用して施術を行うような場合であっても、フード全体を上下動させることなく開閉フードのみを開放して第２薬液の塗布が行え、かつ、被施術者の後方から行えるので、施術者の施術作業が簡単、かつ、時間の短縮を図ることができる。
【００５６】
また、前記開閉フードは回転支点においてスプリングによって開放方向にバネ付勢され、かつ、閉状態において開放部側においてロック可能に形成したので、作業中に開閉フードが閉じたりして施術者が怪我をすることがないと共に被施術者を驚かせたりすることがなく、また、開閉フードは閉じられた状態でみだりに開放されることもないので、施術中に蒸気が外部に漏れたり冷風が漏れたりすることがなく、さらに、ダンパーのみを介在させることによって開閉フードの閉時には緩やかに行われる。
【００５７】
さらに、蒸気抜き孔に水滴が外部に漏れないように鍔部を形成したことにより、頭髪処理後に開閉フードを開放しても水滴が被施術者の被服を汚したり床面を汚したりするのを防止できる。
【００５８】
また、フードが本体に対して所望角度以上に開放されると上方へ回動させる付勢力が作用し、前記所望角度以下に閉じられると前記開閉フードおよび固定フードの重量が前記付勢力に打ち勝って閉じられるようにしたので、ロック手段を使用しなくとも起立位置と水平位置とで固定され、かつ、水平方向への回動時においてもフードが急激に回動することがなくなって、被施術者に当接したり驚かしたりすることがない。
【００５９】
さらに、固定フードの開口部に被施術者の頭部周囲に密着して取付けられる布等からなるフェースガードを設けたので、被施術者の頭部と固定フードの開口部との隙間をなくすことにより、フード内の蒸気が被施術者の顔面に当たることがなくなり、被施術者に暑い思いをさせたり不快感を与えることがない。
【００６０】
また、固定フードあるいは開閉フードの何れかの外周内側面に固定フードと開閉フードとの接触面から蒸気が漏れるのを防止する弾性を有する封止リングを取付けたので、フードＤ内から蒸気が外部に漏れ出ることがなくなり、蒸気を有効に施術に使用できて施術を効率よく行える等の効果を有するものである。
【図面の簡単な説明】
【図１】本発明に係るフード式頭髪促進装置の全体を示す側面図である。
【図２】同上における上下動機構の断面図である。
【図３】他の実施の形態の上下動機構の断面図である。
【図４】フードを被せる状態の斜視図である。
【図５】フードを立ち上げた状態の斜視図である。
【図６】フードにおける開閉フードを閉じた状態の斜視図である。
【図７】同上の開閉フードを開放した状態の斜視図である。
【図８】蒸気抜き孔が形成されているフード部分の斜視図である。
【図９】同上の蒸気抜き孔部分の断面図である。
【図１０】他の実施の形態の蒸気抜き孔部分の断面図である。
【図１１】フードと本体との取付け部分の斜視図である。
【図１２】同上の取付け部分に使用する巻きバネの特性図である。
【図１３】固定フードと開閉フードとの取付け部分の斜視図である。
【図１４】開閉フードを固定フードに対して開放し支持板を見せた状態の斜視図である。
【図１５】フェースガードを取付けた状態のフード部分の断面図である。
【図１６】パッキンを取付けた状態の固定フードと開閉フードとを示す一部拡大図である。
【符号の説明】
Ａ　　　　基台
Ｂ　　　　支柱
Ｃ　　　　本体
Ｄ　　　　フード
Ｅ　　　　ネック受け
１　　　　上下動機構
９　　　　フェースガード
１０　　　封止リング
１１　　　基板
１２　　　軸杆
１３　　　弾性部材
１４　　　上下動管
１６　　　ハンドル
１７　　　ブレーキ押え
１８　　　リンク
１９　　　ブレーキ
１９ａ　　ブレーキパッド
２１　　　上下動軸杆
２２　　　円錐状ブレーキ押え
７１　　　固定フード
７２　　　開閉フード
７２ｃ　　蒸気抜き孔
７２ｃ１　　鍔部
７２ｃ２　　リング
【図１】
2004000416.tif 000003
【図２】
2004000416.tif 000004
【図３】
2004000416.tif 000005
【図４】
2004000416.tif 000006
【図５】
2004000416.tif 000007
【図６】
2004000416.tif 000008
【図７】
2004000416.tif 000009
【図８】
2004000416.tif 000010
【図９】
2004000416.tif 000011
【図１０】
2004000416.tif 000012
【図１１】
2004000416.tif 000013
【図１２】
2004000416.tif 000014
【図１３】
2004000416.tif 000015
【図１４】
2004000416.tif 000016
【図１５】
2004000416.tif 000017
【図１６】
2004000416.tif 000018
【手続補正書】
【提出日】平成14年9月3日(2002.9.3)
【手続補正１】
【補正対象書類名】図面
【補正対象項目名】図９
【補正方法】変更
【補正の内容】
【図９】
2004000416.tif 000019